(57)【要約】【課題】基板ケース内に引き込まれて基板に接続されるハーネスが基板ケースの回動時に破損するのを防止する。【解決手段】基板ケース３０は、中枠４の背面部にヒンジ３４，３５を用いて回動可能に取り付けられている。ヒンジ３４には、ハーネス２００を保持するためにハーネス２００を挿通可能な筒状の挿通部３４ａが設けられている。そして、中枠４内部の中継基板などの基板１００に接続されたハーネス２００は、中枠４の筒状の挿通部４ａに挿通されるとともにヒンジ３４の挿通部３４ａに挿通された後に開口部３２から基板ケース３０内へ引き込まれて基板ケース３０内の基板１００に接続される。ヒンジ３５には、舌片状の舌片部３５ａが形成されており、ヒンジ３５はこの舌片部３５ａによって一部が開口する断面Ｃ字状になっていて、この開口が中枠４内部の中継基板などの基板１００に接続されたハーネス（図示省略）を出し入れ可能な出入口となっている。【選択図】図２
2015029765.tif 000002
【特許請求の範囲】
【請求項１】
遊技盤と前記遊技盤の前方に配された透明板との間に形成される遊技領域に遊技球を転動させることで遊技を行う弾球遊技機において、
当該弾球遊技機の背面部にヒンジを用いて回動可能に取り付けられ、基板を収納可能な基板ケースを備え、
前記ヒンジは、前記基板ケース内に引き込まれて前記基板に接続されるハーネスを保持する保持部を有すること
を特徴とする弾球遊技機。
【請求項２】
請求項１に記載の弾球遊技機において、
前記保持部には、前記ハーネスを保持するために前記ハーネスを挿通させる挿通部が設けられていること
を特徴とする弾球遊技機。
【請求項３】
請求項２に記載の弾球遊技機において、
前記保持部には、前記ハーネスを前記挿通部に出し入れするための出入口が設けられていること
を特徴とする弾球遊技機。
【請求項４】
請求項３に記載の弾球遊技機において、
前記保持部には、前記出入口から前記挿通部に入れられた前記ハーネスを係止する係止部が設けられていること
を特徴とする弾球遊技機。
【発明の詳細な説明】
【技術分野】
【０００１】
本発明は、弾球遊技機の技術分野に属する。
【背景技術】
【０００２】
特許文献１には、第１基板枠部（２０）が、第１ヒンジ部（３０）を支軸として搭載基板である主制御基板と一体となりながら片側方向へ開閉可能に固着されており、主制御基板と繋がる主制御基板用ハーネス（３２）が、第１基板枠部（２０）の内部を通り主制御基板用ハーネス用開口部（４８）から第１基板枠部（２０）の外部に出て、機構盤側に備えられた第１中継基板（３３）へ接続されている点が記載されている。
【先行技術文献】
【特許文献】
【０００３】
【特許文献１】特開２００９−２９１２８７号公報（第４頁、図１，２）
【発明の概要】
【発明が解決しようとする課題】
【０００４】
しかし、上記技術では、主制御基板用ハーネス用開口部（４８）を通る主制御基板用ハーネス（３２）が固定されない状態となっており、第１基板枠部（２０）の開閉時に主制御基板用ハーネス（３２）が第１基板枠部（２０）の他の構成に擦れたり押し潰されたりして破損するおそれがあった。
【０００５】
本発明は、このような課題に鑑みなされたものであり、その目的とするところは、基板ケース内に引き込まれて基板に接続されるハーネスが基板ケースの回動時に破損するのを防止する技術を提供することにある。
【課題を解決するための手段】
【０００６】
上記課題を解決するためになされた請求項１に係る弾球遊技機は、遊技盤と前記遊技盤の前方に配された透明板との間に形成される遊技領域に遊技球を転動させることで遊技を行う弾球遊技機において、当該弾球遊技機の背面部にヒンジを用いて回動可能に取り付けられ、基板を収納可能な基板ケースを備え、前記ヒンジは、前記基板ケース内に引き込まれて前記基板に接続されるハーネスを保持する保持部を有することを特徴とする。
【０００７】
このように構成された本発明の弾球遊技機によれば、基板ケース内に引き込まれて基板に接続されるハーネスがヒンジの保持部に保持されることにより、ハーネスの配線経路が一定となるとともにヒンジの保持部によってハーネスが保護されるので、基板ケースの回動時にハーネスが基板ケースの他の構成などに擦れたり押し潰されたりしにくく、したがって、基板ケース内に引き込まれて基板に接続されるハーネスが基板ケースの回動時に破損するのを防止することができる。
【０００８】
請求項２に係る弾球遊技機は、請求項１に記載の弾球遊技機において、前記保持部には、前記ハーネスを保持するために前記ハーネスを挿通させる挿通部が設けられていることを特徴とする。
【０００９】
このように構成された本発明の弾球遊技機によれば、ヒンジの挿通部に挿通されることによってハーネスが保護されるので、基板ケースの回動時にハーネスが基板ケースの他の構成などに擦れたり押し潰されたりしにくくなる効果が高まる。
【００１０】
請求項３に係る弾球遊技機は、請求項２に記載の弾球遊技機において、前記保持部には、前記ハーネスを前記挿通部に出し入れするための出入口が設けられていることを特徴とする。
【００１１】
このように構成された本発明の弾球遊技機によれば、ハーネスを挿通部に出し入れすることが可能となり、基板ケースに対する基板の取り付けや取り外しが容易となる。
請求項４に係る弾球遊技機は、請求項３に記載の弾球遊技機において、前記保持部には、前記出入口から前記挿通部に入れられた前記ハーネスを係止する係止部が設けられていることを特徴とする。
【００１２】
このように構成された本発明の弾球遊技機によれば、ハーネスが挿通部から不意に外れることを防止することができる。
【図面の簡単な説明】
【００１３】
【図１】実施形態のパチンコ機１の正面図である。
【図２】実施形態の基板ケース３０の取付構造を示す概略説明図である。
【発明を実施するための形態】
【００１４】
以下に本発明の実施形態を図面とともに説明する。なお、本発明は本実施形態に限定されるものではなく、様々な態様にて実施することが可能である。
［１．パチンコ機１の構成の説明］
図１に示す弾球遊技機の一種であるパチンコ機１は、遊技盤９と遊技盤９の前方に配されたガラス板７ａ（透明板）との間に形成される遊技領域に遊技球を転動させることで遊技を行う遊技機である。
【００１５】
このパチンコ機１の前面部には、盤面窓枠２が配されている。
盤面窓枠２は、外枠３に保持された中枠４に取り付けられている。より具体的には、盤面窓枠２はヒンジ５ａ，５ｂにて中枠４に軸支され、扉状に開閉できる。また、盤面窓枠２には、上皿２ａ、下皿２ｂ、発射ハンドル２ｃが取り付けられている。
【００１６】
また、盤面窓枠２には窓７が設けられ、その周辺に電飾８が配されている。また、盤面窓枠２には、窓７を閉塞するためのガラス板７ａが窓７の背後に装着される。そして、盤面窓枠２の背後の窓７に臨んだ位置には、中枠４に保持された遊技盤９が配されている。
【００１７】
遊技盤９は、透明な合成樹脂（本実施例ではポリカーボネート）製である。この遊技盤９には、ガイドレール１０、１１、複合入賞装置１２、ゲート１３、大入賞口１４、普通入賞口１５、庇部材１６、ステージ１７等が取り付けられ、遊技釘１８や風車１９が打ち付けられている。
【００１８】
複合入賞装置１２は、可変入賞装置１２ａおよび始動入賞口１２ｂを備え、可変入賞装置１２ａまたは始動入賞口１２ｂに入賞した場合には大当たり抽選が行われ、これに応じて遊技盤９の背後に配された表示装置（図示省略）にて図柄の変動表示がなされる。大当たり抽選が当たりであれば、図柄の変動表示に続いて表示装置にて大当たり図柄の確定表示が行われる。その大当たり図柄の確定表示がなされると大当たり遊技の開始となって、大入賞口１４が開放される。
【００１９】
また、可変入賞装置１２ａが閉鎖状態（図示の状態）にあるときには、可変入賞装置１２ａの上方にある始動入賞口１２ｂによって可変入賞装置１２ａへの入賞を阻まれる（可変入賞装置１２ａへは、開放時しか入賞できない）。この可変入賞装置１２ａは、その左右に配されているゲート１３に遊技球が進入したことに起因する抽選で当たりになると開放される。
【００２０】
また、庇部材１６とステージ１７とに挟まれた領域（主表示領域２０）には、遊技釘１８が打ち付けられておらず、他の装置類も配されていない。この主表示領域２０は、遊技盤９の背後に配された表示装置による図柄の変動表示や、背景画像やキャラクタ等の画像の表示を良好に視認させるための領域である。
【００２１】
［２．基板ケース３０およびヒンジ３４，３５の構成の説明］
また、図２に示すように、パチンコ機１の背面部には、基板ケース３０が配されている。この基板ケース３０は、内部に制御基板や中継基盤などの基板１００を収容可能となっている。また、基板ケース３０の背面部には、通気のための通気孔３１が多数形成されている。また、基板ケース３０の側面部には、ハーネスを挿通させるための開口部３２，３３が形成されている。そして、基板ケース３０は、中枠４の背面部（パチンコ機１の背面部）にヒンジ３４，３５を用いて回動可能に取り付けられている。
【００２２】
ヒンジ３４には、ハーネス２００を保持するためにハーネス２００を挿通可能な筒状の挿通部３４ａが設けられている。そして、中枠４内部の中継基板などの基板１００に接続されたハーネス２００は、中枠４の筒状の挿通部４ａに挿通されるとともにヒンジ３４の挿通部３４ａに挿通された後に開口部３２から基板ケース３０内へ引き込まれて基板ケース３０内の基板１００に接続される。
【００２３】
なお、ヒンジ３４は保持部に該当する。
ヒンジ３５には、舌片状の舌片部３５ａが形成されており、ヒンジ３５はこの舌片部３５ａによって一部が開口する断面Ｃ字状になっていて、この開口が中枠４内部の中継基板などの基板１００に接続されたハーネス（図示省略）を出し入れ可能な出入口となっている。また、この舌片部３５ａの先端には返し３５ｂが内側に向けて形成されており、返し３５ｂが、出入口から挿通部としてのヒンジ３５内部に入れられた前記ハーネスを係止可能となっている。
【００２４】
なお、ヒンジ３５は保持部に該当する。
［３．実施形態の効果］
（１）このように本実施形態のパチンコ機１によれば、ヒンジ３４には、ハーネス２００を保持するためにハーネス２００を挿通可能な筒状の挿通部３４ａが設けられており、基板ケース３０内に引き込まれて基板１００に接続されるハーネス２００がヒンジ３４の挿通部３４ａに挿通されることで保持されることにより、ハーネス２００の配線経路が一定となるとともにヒンジ３４の挿通部３４ａによってハーネス２００が保護されるので、基板ケース３０の回動時にハーネス２００が基板ケース３０の他の構成などに擦れたり押し潰されたりしにくく、したがって、基板ケース３０内に引き込まれて基板１００に接続されるハーネス２００が基板ケース３０の回動時に破損するのを防止することができる。
【００２５】
（２）また、本実施形態のパチンコ機１によれば、ヒンジ３５が舌片状の舌片部３５ａによって一部が開口する断面Ｃ字状になっていて、この開口が中枠４内部の中継基板などの基板１００に接続されたハーネスを出し入れ可能な出入口となっているので、ハーネスをヒンジ３５内部に出し入れすることが可能となり、基板ケース３０に対する基板１００の取り付けや取り外しが容易となる。
【００２６】
（３）また、本実施形態のパチンコ機１によれば、ヒンジ３５の舌片部３５ａの先端には返し３５ｂが内側に向けて形成されており、返し３５ｂが、出入口からヒンジ３５内部に入れられた前記ハーネスを係止可能となっているので、ハーネスがヒンジ３５内部から不意に外れることを防止することができる。
【符号の説明】
【００２７】
１…パチンコ機、２…盤面窓枠、２ａ…上皿、２ｂ…下皿、２ｃ…発射ハンドル、３…外枠、４…中枠、４ａ…挿通部、５ａ…ヒンジ、７…窓、７ａ…ガラス板、８…電飾、９…遊技盤、１０，１１…ガイドレール、１２…複合入賞装置、１２ａ…可変入賞装置、１２ｂ…始動入賞口、１３…ゲート、１４…大入賞口、１５…普通入賞口、１６…庇部材、１７…ステージ、１８…遊技釘、１９…風車、２０…主表示領域、３０…基板ケース、３１…通気孔、３２，３３…開口部、３４…ヒンジ、３４ａ…挿通部、３５…ヒンジ、３５ａ…舌片部、３５ｂ…返し、１００…基板、２００…ハーネス。
【図１】
2015029765.tif 000003
【図２】
2015029765.tif 000004